(57)【要約】
【課題】　軽量かつ衝撃耐久性に優れ、上下の巻糸体を同時に保持できる保持性に優れた巻糸体固定板を提供する。
【解決手段】　１種類の合成樹脂からなり、上下に突起がある保持部を有することを特徴とする巻糸体固定板。また、保持部における上下の突起が、各々３箇所以上の固定面で巻糸体紙管端を保持する形状である前記の巻糸体固定板。
【選択図】　図１
0003099167.tif 000002
【実用新案登録請求の範囲】
【請求項１】
　１種類の合成樹脂からなり、上下に突起がある保持部を有することを特徴とする巻糸体固定板。
【請求項２】
　保持部における上下の突起が、各々３箇所以上の固定面で巻糸体紙管端を保持する形状であることを特徴とする、請求項１記載の巻糸体固定板。
【請求項３】
　保持部における上下の突起が、それぞれ高さ３ｍｍ以上、３０ｍｍ以内であって、上下突起高さの合計が１０ｍｍ以上、４０ｍｍ以内であることを特徴とする、請求項１または２に記載の巻糸体固定板。
【請求項４】
　合成樹脂がポリエチレンテレフタレートを主成分とすることを特徴とする、請求項１〜３のいずれかに記載の巻糸体固定板。
【考案の詳細な説明】
【技術分野】
【０００１】
　本考案は、巻糸体固定板に関する。詳しくは、紡糸され、紙管等に巻かれた合成繊維巻糸体をダンボール箱等に積層して梱包する際に、該巻糸体を保持するための固定板に関する。
【背景技術】
【０００２】
　紡糸された合成繊維は通常、紙管等に巻かれた巻糸体の形状でダンボール箱等に梱包され、次工程に供給される。保管及び輸送を能率化するために、１つのダンボール箱にできるだけ多くの巻糸体を、型崩れしないように梱包することが必要である。特にポリウレタン等の弾性繊維は、通常、他の合成繊維に比べ巻量が少ない巻糸体であるため、多数の巻糸体をまとめて梱包することが多い。
　そのため通常、紙管の端を固定するような巻糸体固定板をダンボールの底面および巻糸体を置いた上に敷き、巻き糸体を２段以上重ねて梱包することが行われている。
【０００３】
　従来、巻糸体梱包板としては、ダンボールまたはプラスチックの板に紙管の端が保持できる孔や窪みが設けられた単純な形状のものが主であったが、特許文献１では、扁平な板の適所に任意数の穴をあけ、そこに屋根型の突出部を有する支持部材を組み合わせた巻糸体梱包用ボビンホルダーが開示されている。また、特許文献２では、孔のあいたダンボール板に、ハット型の合成樹脂性ボビン係止具を装着したチーズ巻糸梱包用固定板が開示されている。
【０００４】
　しかし、特許文献１のボビンホルダーでは、ホルダーの上に置いた巻糸体を保持することはできるが、ホルダーの下にある巻糸体は保持できないため、輸送中等に巻糸体がずれる可能性があった。また、特許文献２の巻糸体固定板は上下の巻糸体を同時に保持できる形状ではあるが、保持部が実質的に保持板の厚み以内でしか巻糸体紙管端を保持できないため、輸送中の振動によって特に下の保持部から紙管端が外れてしまう可能性があった。また板と係止具が別材料であり、製造に手間・コストがかかること、繰返し使用によって係止具が外れ安くなることといった問題があった。これらはダンボール製の板を用いているため衝撃耐久性が劣り、落下等により板が破損し、巻糸体が型崩れすることがあった。これを改善するためにダンボールの代わりに合成樹脂を用いようとすると、重量が増すために梱包材料として不適であった。
【特許文献１】実開平５−１７６７号公報
【特許文献２】特公平６−８１４２号公報
【考案の開示】
【考案が解決しようとする課題】
【０００５】
　本考案は、このような課題を解決するために、軽量かつ衝撃耐久性に優れ、上下の巻糸体を同時に保持できる保持性に優れた巻糸体固定板を提供することにある。
【課題を解決するための手段】
【０００６】
　本考案者は、上記課題を解決するために鋭意研究を重ねた結果、特定の合成樹脂の一体成型によって、固定板の上下にある巻糸体を同時に保持できる形状の巻糸体固定板を得られることを見出し、この知見に基づいて本考案をなすに至った。
　すなわち、本考案は下記の通りである。
　１．　１種類の合成樹脂からなり、上下に突起がある保持部を有することを特徴とする巻糸体固定板。
　２．　保持部における上下の突起が、各々３箇所以上の固定面で巻糸体紙管端を保持する形状であることを特徴とする、１．記載の巻糸体固定板。
　３．　保持部における上下の突起が、それぞれ高さ３ｍｍ以上、３０ｍｍ以内であって、上下突起高さの合計が１０ｍｍ以上、４０ｍｍ以内であることを特徴とする、１．または２．に記載の巻糸体固定板。
　４．　合成樹脂がポリエチレンテレフタレートを主成分とすることを特徴とする、１．〜３．のいずれかに記載の巻糸体固定板。
【考案の効果】
【０００７】
　本考案の巻糸体梱包用材料は、軽量で、衝撃耐久性に優れ、上下の巻糸体を同時に保持することができる保持性に優れた巻糸体固定板であり、特に弾性繊維等の巻量が少ない巻糸体を多数梱包する場合に好適に使用できる。
【考案を実施するための最良の形態】
【０００８】
　以下、本考案について詳細に説明する。
　本考案の巻糸体固定板は、全体が一種類の合成樹脂からなることを特徴とする。これにより部品の接着にかかる手間や、接着部の耐久性低下を回避することができ、ダンボールに比べ複雑な形状に加工しやすく、衝撃耐久性に優れる。本考案の構成を満たしていれば、一種類の合成樹脂からなる固定板に強度保持材や緩衝材等の他の部品を組み合わせることも可能である。
【０００９】
　本考案に用いられる合成樹脂としては、軽量でかつ複雑な形状の一体成型が可能であるような樹脂が好ましく用いられる。例としては、ポリアミド、ポリエチレンテレフタレート（以下、ＰＥＴと記載）等が挙げられる。
【００１０】
　本考案の巻糸体固定板の形状例を、図１〜図３に示す。図１が平面図であり、Ａ−Ａ線切断部の拡大端面図が図２、Ｂ−Ｂ線切断部の拡大端面図が図３である。本考案の巻糸体固定板１は、巻糸体紙管端を保持する部分２（以下、保持部と記載）、及び、それ以外の部分３（以下、平板部と記載）からなる。本考案における保持部２は、突起が固定板の上下に存在していることを特徴とする。保持部２において上方突起４は円柱側面が一部凹部を有する形状であり、上方突起における凹部が三角柱状の下部突起５となっている。これにより、上下の巻糸体紙管端を同時に保持できる形状の保持部を合成樹脂の一体成型により得ることができる。突起は高さ方向の断面積が一定な柱状であっても良いが、図１に示すような、高さ方向に断面積が小さくなる錘状の形状であれば成形性が向上し、保持性は変わらないため好ましい。
【００１１】
　上下の突起は、梱包された巻糸体がどの方向からの揺れ、衝撃を受けても保持できるように、紙管端をできるだけ多くの面から保持できる形状が好ましく、上下とも３個所以上の固定面がある突起であることが好ましい。固定面を多くするほど保持性は向上するが形状が複雑になり加工が困難であるため、固定面は８個所以下であることが好ましい。より好ましくは４箇所以上、６箇所以下であり、上部の固定面と下部の固定面が円周上でずれた位置関係であることが好ましい。ここで、固定面とは、巻糸体を置いた時に紙管内側と固定板保持部が接触する面の数をいう。
【００１２】
　本考案の巻糸体固定板では、成型性および強度を確保できる範囲内で固定部の突起高さを固定板の平板部厚みより高くすることが可能であり、固定部から紙管端が外れる可能性を小さくすることができる。突起高さは平板部の端から３ｍｍ以上、３０ｍｍ以内であることが好ましく、上下の突起高さの合計が１０ｍｍ以上、４０ｍｍ以内であることが好ましい。
【００１３】
　本考案の巻糸体固定板における平板部３の形状は、特に限定されない。軽量化するためには可能な限り薄くすることが好ましい。完全な平板であってもよいが、水平方向の強度保持および落下等の衝撃による破損を抑えるために、平板部に周期的な筋状凸部６や円形柱状凹凸部７、楕円柱状凹凸部８等を適宜設けることができる。
【実施例】
【００１４】
　次に、実施例を挙げて本考案をさらに説明するが、本考案は、実施例によって何ら限定されるものではない。
【００１５】
　〔実施例１〕
　厚さ０．５ｍｍのＰＥＴ製の平板から、一体成型によって図１に示す形状の巻糸体固定板を作成した。固定板における保持部は９箇所あり、各々は円筒の四方に三角柱状の凹部を設けた十字柱形状の上部突起、および４つの三角柱状の下部突起からなる。上部突起は平板部端から２０ｍｍの高さであり、下部突起は平板部端から５ｍｍの高さである。また、平板部の強度および衝撃耐久性保持のために平板部に互いに交差する複数の凹凸部、円柱状および楕円柱状の突起を設けている。
【００１６】
　実施例１の巻糸体固定板は、上下の巻糸体を同時に各々４箇所の固定面で保持することができ、巻糸体の保持性に優れる。また、材質がＰＥＴなので薄板の一体成型加工できるため、従来のダンボール製固定板より軽量であり、落下時の衝撃耐久性に優れるものであった。
【産業上の利用可能性】
【００１７】
　本考案の巻糸体固定板は、合成繊維巻糸体の梱包に好適に用いることができる。特に巻形状が比較的小さく、１つのダンボール箱に多数入れて梱包する必要がある巻糸体、例えば弾性繊維巻糸体の梱包に好適に用いられる。
【図面の簡単な説明】
【００１８】
【図１】本考案の巻糸体固定板の一例を示す平面図である。
【図２】図１のＡ−Ａ線切断部の拡大端面図である。
【図３】図１のＢ−Ｂ線切断部の拡大端面図である。
【符号の説明】
【００１９】
　１　巻糸体固定板
　２　保持部
　３　平板部
　４　上方突起
　５　下方突起
　６　筋状凸部
　７　円形柱状凹凸部
　８　楕円柱状凹凸部
【図１】
0003099167.tif 000003
【図２】
0003099167.tif 000004
【図３】
0003099167.tif 000005